(57)【要約】【課題】リム配管に残水が溜まりにくい水洗式便器を提供すること。【解決手段】上部が開口し洗浄水が供給される凹状のボウル部１１及びボウル部１１の上縁に沿うリム部１２を有する便器本体１０と、上流端２ａが洗浄水を供給する給水源に接続され、下流端２ｂがリム部１２に形成される洗浄水の導水路１５に接続され、上流側から下流側に向かって下り傾斜する勾配を有するリム配管２と、を備える、水洗式便器１である。リム配管２の下流側に取り付けられるリムノズル３をさらに有し、リムノズル３は、上流側から下流側に向かって下り傾斜することが好ましい。【選択図】図２
2020190074.tif 000002
【特許請求の範囲】
【請求項１】
上部が開口し洗浄水が供給される凹状のボウル部及び前記ボウル部の上縁に沿うリム部を有する便器本体と、
一端が洗浄水を供給する給水源に接続され、他端が前記リム部に形成される洗浄水の導水路に接続され、上流側から下流側に向かって下り傾斜する勾配を有するリム配管と、を備える、水洗式便器。
【請求項２】
前記リム配管の下流側に取り付けられるノズルをさらに有し、
前記ノズルは、上流側から下流側に向かって下り傾斜する、請求項１に記載の水洗式便器。
【請求項３】
前記便器本体は、前記ノズルが挿通する挿通孔が形成され、傾斜した取付面を有し、
前記ノズルは、前記ノズルが前記挿通孔に挿通された状態において、前記取付面に接触する接触部を有する弾性部材を有する、請求項２に記載の水洗式便器。
【請求項４】
前記リム部は、内部に前記導水路が形成され、前記ノズルが前記リム部に接続されて洗浄水が前記導水路に供給され、
前記導水路の底面は、少なくともその一部が下方に向かって傾斜する傾斜面を有する、請求項２又は３に記載の水洗式便器。
【請求項５】
前記リム配管は、
上流側に上下方向に延びる第１部分と、
前記第１部分から屈曲し前記第１部分の延びる方向に交差して延びるとともに前記勾配を有する第２部分と、
前記第１部分及び前記第２部分との間に配置され、前記第２部分の幅方向及び高さ方向の中心を接続する第２仮想線と、前記第１部分の幅方向及び高さ方向の中心を接続する第１仮想線とが、交わらずにねじれの位置となるように、前記第１部分及び前記第２部分を接続する第３部分と、を有する、請求項１〜４のいずれか１項に記載の水洗式便器。
【発明の詳細な説明】
【技術分野】
【０００１】
本開示は、水洗式便器に関する。
【背景技術】
【０００２】
従来、便器本体の上縁に形成されるリム部の内部に、洗浄水を便器本体のボウル部側へ導く導水路を形成した水洗式便器が知られている。洗浄水をボウル部に供給するには、リム配管の一端を洗浄水の給水源に、他端をリム部に接続し、リム配管側から圧力をかけながら、導水路を介して洗浄水をボウル部に供給する（例えば、特許文献１参照）。
【先行技術文献】
【特許文献】
【０００３】
【特許文献１】特開２００８−３０３６１６号公報
【発明の概要】
【発明が解決しようとする課題】
【０００４】
リム配管が略水平に形成されていると、洗浄水が供給されない間にリム配管に残る残水が溜まりやすいという問題があった。残水が溜まると、洗浄水が次に吐水される際に飛沫となって残水が飛びやすいという問題もあった。
【課題を解決するための手段】
【０００５】
本開示は、上部が開口し洗浄水が供給される凹状のボウル部及び前記ボウル部の上縁に沿うリム部を有する便器本体と、一端が洗浄水を供給する給水源に接続され、他端が前記リム部に形成される洗浄水の導水路に接続され、上流側から下流側に向かって下り傾斜する勾配を有するリム配管と、を備える、水洗式便器に関する。
【図面の簡単な説明】
【０００６】
【図１】本実施形態の水洗式便器の平面の模式図である。
【図２】本実施形態の水洗式便器の部分側面断面図である。
【図３Ａ】本実施形態のリム配管の平面図を示す。
【図３Ｂ】本実施形態のリム配管の側断面図を示す。
【図３Ｃ】本実施形態のリム配管の正面図を示す。
【図３Ｄ】本実施形態のリム配管の背面図を示す。
【図４】本実施形態のリムノズルの周囲の部分拡大断面である。
【発明を実施するための形態】
【０００７】
図１及び図２に示すように、水洗式便器１は、洗浄水が供給されて汚物を排出する便器本体１０を有する。便器本体１０には、汚物を下水に排出するための洗浄水を供給するジェット配管（図示省略）が接続される。便器本体１０には、便器本体１０の内壁を洗浄するための洗浄水を供給するリム配管２が、ノズルとしてのリムノズル３を介して接続される。
【０００８】
便器本体１０は、ボウル部１１と、リム部１２と、取付面１３と、チャンバ１４と、導水路１５と、を有する。便器本体１０は、全体が陶器により形成される。
なお、本明細書において、便器本体１０における使用者が位置する側が前方側であり、前方に対向する側を後方とする。前後方向とは、前方と後方を結ぶ方向を意味する。洗浄水は、便器本体１０の後方側から供給される。
【０００９】
ボウル部１１は、上部が開口した凹状に形成され、下水へ連通する排水口を有する。ボウル部１１には、洗浄水が供給される。
【００１０】
リム部１２はボウル部１１の上縁に沿って上面から所定の高さの範囲に形成される部分である。リム部１２の上面は平坦で、内部が中空に形成される。
【００１１】
取付面１３は、図２に示すように、リム部１２内の中空の部分と、便器本体１０の外側面との境界を画する便器本体１０の上部の後壁に形成される。取付面１３は、後述するリムノズル３を取り付ける平面であり、後述するリムノズル３が挿通する挿通孔１３ａが形成される。取付面１３は、図２に示すように、例えば鉛直方向Ｐに対して、リムノズル３の下流端が下方を向くように傾斜している。図４に示すように取付面１３における鉛直方向の下端よりも上端の方が、便器本体１０の前方側に位置するように角度Ｑ傾いている。
【００１２】
チャンバ１４は、ボウル部１１に供給する洗浄水を一定量受け入れ、滞留させておくことが可能な空間である。チャンバ１４は、取付面１３の内側でリム部１２の内部の中空の部分に形成される。チャンバ１４は、洗浄水が供給されてボウル部１１へと流れる洗浄水の導水路１５の一部を構成する。
【００１３】
導水路１５は、リム部１２の内部に形成され、より具体的には、リム部１２の中空の部分により構成される。導水路１５は、チャンバ１４を通ってボウル部１１の内側面の上部へと連通する洗浄水の流路である。導水路１５は、上流側ではチャンバ１４内に含まれており、チャンバ１４の下流側からリム部１２の縁に沿って延出する。導水路１５は、ボウル部１１の前後方向の中程でボウル部１１側へ開口する。
導水路１５の底面１５１は、図２に示すように、上流側で下方に向かって傾斜する傾斜面を有する。
【００１４】
リム配管２は、上流側の一端である上流端２ａが便器本体１０に供給する洗浄水の給水源へ接続され、下流側の他端である下流端２ｂが便器本体１０の導水路１５に接続されて、便器本体１０に洗浄水を供給する。リム配管２の下流端２ｂはリムノズル３に接続され、リムノズル３が便器本体１０の挿通孔１３ａに挿通されて固定される。リム配管２は、例えば成型されたゴム等の樹脂素材により構成され、上流側から下流側に向かって下り傾斜する勾配を有している。
【００１５】
リム配管２は、中空部を有する管であり、図３Ａ及び図３Ｂに示すように、第１部分２１と、第２部分２２と、第３部分２３と、を有する。
図３Ａ〜図３Ｄはリム配管２を示す図である。図３Ａ〜図３Ｄにおいて、以下に説明するリム配管２の第１部分２１が形成される側を正面として説明している。リム配管２の正面と、図１、２及び４に示す水洗式便器１の正面とは逆になっている。
【００１６】
第１部分２１は、リム配管２が接続された場合の洗浄水の上流側に配置され、上下方向に沿って延びる略円筒状の部分である。第１部分２１は、給水管に接続される。第１部分２１の上下方向の寸法は、例えば１２ｍｍ以上が例示できる。
【００１７】
第２部分２２は、第１部分２１より長い管状の部分である。第２部分２２は、下流端２ｂが後述するリムノズル３の上流端に接続される。第２部分２２は、図３Ｂに示すように、リム配管２の下り傾斜する勾配を有する部分である。第２部分２２の幅方向及び高さ方向の中心を接続する第２仮想線Ｋ２（第２部分２２が円筒の場合は、径の中心に延びる仮想線）は、第１部分２１から遠ざかるに連れ下方に向うように傾いている。すなわち、図３Ｂに示すように、第１部分２１の中心の第１仮想線Ｋ１（第１部分が円筒でない場合には、幅方向及び高さ方向の中心を接続する仮想線）と第２部分２２の第２仮想線Ｋ２とを、リム配管２の側断面で切断した仮想平面に投影した場合に、第１仮想線Ｋ１と第２仮想線Ｋ２とを仮想平面上に投影した線が交差して形成される角度Ｒは直角ではなく、鈍角となっている。
【００１８】
第２部分２２は、図３Ａに示すように、平面視で屈曲するか、又は湾曲しており、その幅方向の中心が、第１部分２１から平面視でずれながら下り傾斜している。第２部分２２の幅方向の中心を結ぶ第２仮想線Ｋ２は、一直線ではない。第２仮想線Ｋ２は、第１部分２１の中心から幅方向の一方側（水洗式便器１に設置された場合の便器本体１０の幅方向外側）に逸れるように所定距離延び、その後幅方向の他方側（便器本体１０の幅方向内側）へ屈曲して第１部分２１から遠ざかる方向に直線状に延びている。図３Ａ、図３Ｃ及び図３Ｄに示すように、第２部分２２の幅方向の中心は第１部分２１の幅方向の中心と平面視でずれている。
【００１９】
第３部分２３は、図３Ｂに示すように、第１部分２１と第２部分２２との間に配置され、第１部分２１及び第２部分２２を接続する角の部分である。第３部分２３は、第２仮想線Ｋ２と、第１部分２１の幅方向及び高さ方向の中心を接続する第１仮想線Ｋ１とが、交わらずにねじれの位置となるように、第１部分２１及び第２部分２２を接続する。第３部分２３は、第１部分２１の下流側から、便器本体１０の幅方向外側に向かって捩れて、第２部分２２の上流側に接続される。
【００２０】
図４は、リムノズル３の周囲の部分拡大断面である。リムノズル３は、便器本体１０にリム配管２を接続する部品である。リムノズル３は、上流側から下流側に向かって先端側が下方に向かって下り傾斜するように取り付けられる。リムノズル３は、リムノズル３の下流側の端部がリム部１２の後方の端部に接続される。すなわち、リムノズル３は、取付面１３の挿通孔１３ａを挿通してチャンバ１４に接続され（図３（ｂ）参照）、洗浄水を導水路１５に供給する。
【００２１】
リムノズル３は、図４に示すように、ノズル本体３０と、ナット４と、弾性部材５と、ガイド付きワッシャ６と、抜け止め金具７と、バックアップリング８と、ノズルキャップ９と、を有する。
【００２２】
ノズル本体３０は、リム配管２に接続された状態で挿通孔１３ａに挿通され、固定される円筒状のアダプタである。ノズル本体３０の基端側（洗浄水の上流側）から洗浄水が供給され、先端側（洗浄水の下流側）に向かって洗浄水が流通する。ノズル本体３０は、基端側よりも、先端側の方で径が大きく形成されている。ノズル本体３０は、樹脂製である。ノズル本体３０は、その全体がリムノズル３の上流側から下流側へ水が流れるように下り傾斜している。
【００２３】
ノズル本体３０は、その外側表面に、ノズル本体３０が係合する部品の形状に応じた凹凸が形成されている。具体的には、ノズル本体３０は、ネジ溝３１と、突起３２と、キャップ係合凸部３３と、を有する。
【００２４】
ネジ溝３１は、ノズル本体３０の上流側に配置され、後述するナット４と係合するように構成されている。
【００２５】
突起３２は、ノズル本体３０の下流側に配置され、ノズル本体３０の周囲に沿って環状に突出して形成される。突起３２には、後述する抜け止め金具７が係合する。
【００２６】
キャップ係合凸部３３は、突起３２よりもさらに下流側に配置され、ノズル本体３０の外側表面における一方及び他方に対向して形成される突出部である。キャップ係合凸部３３には、後述するノズルキャップ９が係合する。
【００２７】
弾性部材５は、中心側に中空部５４を有する筒状で、フランジの形成されたゴム製平ガスケットである。弾性部材５は、挿入部５１と、内ビード部５２と、接触部５３と、を有する。弾性部材５の中空部５４には、ノズル本体３０が挿通される。
【００２８】
挿入部５１は、取付面１３の挿通孔１３ａに挿入される略円筒形の部分であり、ノズル本体３０の挿通する挿通方向に沿って延びる。
【００２９】
接触部５３は、挿入部５１の一方側で挿入部５１からフランジ状に拡径する平坦な環状の部分である。図４に示すように、接触部５３は、ノズル本体３０が挿通孔１３ａに挿通された状態において、便器本体１０の取付面１３に接触する。接触部５３は、挿入部５１から屈曲して拡径する面が平坦な平面状に形成され、取付面１３に面で接触する。取付面１３が下方に向かって傾斜していることから、接触部５３は、鉛直方向Ｐに対して下方に傾いて取付面１３に接触する。
【００３０】
内ビード部５２は、接触部５３における中空部５４の内壁面に形成される環状の凸部である。内ビード部５２は、中空部５４の内壁面から内側に向かって突出する環が上下方向に離れて二つ形成されている。内ビード部５２は、ノズル本体３０が中空部５４に挿入された際、ノズル本体３０の外側表面を押圧する。
【００３１】
ガイド付きワッシャ６は、弾性部材５の接触部５３における上流側に配置される。ガイド付きワッシャ６は、樹脂製で略環状の形状を有し、ワッシャ部６１と、ガイド部６２とを有する。
【００３２】
ワッシャ部６１は、弾性部材５における接触部５３の取付面１３に当接する側と反対側の面に配置される。ワッシャ部６１は、接触部５３を覆うように、接触部５３に重ねて配置される。ワッシャ部６１は、接触部５３と略同じかわずかに大きい外径を有する。
【００３３】
ガイド部６２は、ワッシャ部６１の周縁から突出して接触部５３の外周面に沿って延びる側壁である。ガイド部６２は、ワッシャ部６１の面に対して略直交する方向に延び、接触部５３の側面を少なくとも部分的に覆うように配置される。
【００３４】
抜け止め金具７は、中心側にノズル本体３０が挿通される貫通孔が形成される略長円形の環状の金具である。抜け止め金具７は、取付面１３の挿通孔１３ａの下流側で、挿通孔１３ａの周囲の面に当接可能に延出する延出部７１を有する。抜け止め金具７は、貫通孔にノズル本体３０が挿通した状態で、ノズル本体３０の下流側に形成されたフランジ状の突起３２に当接し、延出部７１が挿通孔１３ａの周囲の面の下流側に当接することにより、ノズル本体３０が上流側へ抜けてしまうことを防止する。
【００３５】
バックアップリング８は、中心にノズル本体３０が挿通される貫通孔が形成される環状の金具である。バックアップリング８は、抜け止め金具７よりも薄く、外形は略円形状である。バックアップリング８は、弾性部材５が変形した際に、弾性部材５を支持する。
【００３６】
ナット４は、樹脂製であり、ノズル本体挿通孔４１と、座面部４２と、締結部４３と、を有する。
【００３７】
ノズル本体挿通孔４１は、ノズル本体３０がナット４に挿通する円筒状の貫通孔である。ノズル本体挿通孔４１の内周面には、ノズル本体３０の上流側の外周面に形成されたネジ溝３１に対応するナット４側のネジ溝４１ａが形成されており、ナット４を回転させることでノズル本体３０と係合する。
【００３８】
座面部４２は、ガイド付きワッシャ６の上流側の面に当接する平坦な面を有し、平面視で略円形形状に形成される。
【００３９】
締結部４３は、座面部４２の上流側の面に形成される略六角柱状の部分である。締結部４３は、座面部４２からノズル本体３０の挿通方向に沿って起立し、工具により締結される。
【００４０】
ナット４が締結されることで、ガイド付きワッシャ６及び弾性部材５と、ノズル本体３０の突起３２及び便器本体１０の間に挟まれた抜け止め金具７とが、便器本体１０における挿通孔１３ａの周囲に押圧される。接触部５３は、挿入部５１が挿通孔１３ａに挿入された状態で、挿通孔１３ａの周囲の取付面１３の表面に圧接され、リムノズル３を固定する。
【００４１】
ノズルキャップ９は、ノズル本体３０に対して脱着可能なキャップであり、一方が開口した有底筒状の形状を有する。ノズルキャップ９は、ノズル本体３０の下流側端部及びその周囲を覆うように取り付けられる。ノズルキャップ９は、キャップ底部９２と、キャップ側面部９３とを有する。ノズルキャップ９は、樹脂製である。
【００４２】
キャップ底部９２は、ノズル本体３０の下流側端部が当接する略円形の面であり、洗浄水を便器本体１０の内側へ向けて吐水する複数の貫通孔９４が形成されている。
キャップ側面部９３は、ノズル本体３０の下流側の側面に沿う略円筒形の部分である。キャップ側面部９３におけるノズルキャップ９の開口側には係合溝が形成され、ノズル本体３０の下流側に配置されたキャップ係合凸部３３に係合することで、ノズルキャップ９がノズル本体３０に取り付けられる。
【００４３】
以上の水洗式便器１によれば、リム配管２の第２部分２２が上流側から下流側に向かって下り傾斜する。リム配管２に接続されるリムノズル３は、下方に傾斜した取付面１３に取り付けられるため、同様に下り傾斜する。さらにリムノズル３が接続されたリム部１２内のチャンバ１４及び導水路１５の底面１５１が下り傾斜している。このため、上流側から供給される洗浄水は、供給が止められた後でも、重力にしたがって導水路１５の下流へ流れる。
【００４４】
本実施形態によれば、以下の効果を奏する。
本実施形態では、上部が開口し洗浄水が供給される凹状のボウル部１１及びボウル部１１の上縁に沿うリム部１２を有する便器本体１０と、上流端２ａが洗浄水を供給する給水源に接続され、下流端２ｂがリム部１２に形成される洗浄水の導水路１５に接続され、上流側から下流側に向かって下り傾斜する勾配を有するリム配管２と、を含んで構成した。
リム配管２が下り傾斜する勾配を有しているので、リム配管２内を洗浄水が流通した後、洗浄水の供給を止めた間にリム配管２内に残水が溜まりにくく、残水が残ったとしてもリム配管２から抜けやすい。このため、残水が次の洗浄の際に押し出されて飛沫となって飛び散ちることや、カビや細菌等の繁殖を防止することができる。
【００４５】
本実施形態では、リム配管２の下流側に取り付けられるリムノズル３をさらに含んで構成し、リムノズル３を、上流側から下流側に向かって下り傾斜させた。このため洗浄水の供給が止まった後、リム配管２から流れる洗浄水を、リムノズル３内から下流側へ排出させることができ、残水が溜まりにくくなる。したがって、上記と同様の効果を奏する。
【００４６】
本実施形態では、便器本体１０に、リムノズル３が挿通する挿通孔１３ａを形成し、傾斜した取付面１３を含んで構成した。リムノズル３を、リムノズル３が挿通孔１３ａに挿通された状態において、取付面１３に接触する接触部５３を有する弾性部材５を含んで構成した。
リムノズル３の取付面１３自体を傾斜させることで、リムノズル３の接触部５３を取付面１３に対して重力を利用して接触させやすくなる。そして、接触部５３が傾斜することで、リムノズル３全体を確実に下り傾斜させて取り付けることができる。よって、残水が上流側から下流側へ抜けやすくなり、上記と同様の効果を奏する。
【００４７】
本実施形態では、リム部１２の内部に導水路１５を形成し、リムノズル３をリム部１２に接続して洗浄水を導水路１５に供給した。導水路１５の底面１５１を、少なくともその一部が下方に向かって傾斜する傾斜面を含んで構成した。
リムノズル３が接続されたリム部１２内の導水路１５において、洗浄水が流れる底面１５１が下り傾斜していることで、リム配管２から供給された洗浄水は、底面１５１を伝って導水路１５の下流へ流れ、ボウル部１１側へ落ちる。よって、残水が上流側から下流側へ抜けやすくなり、上記と同様の効果を奏する。
【００４８】
本実施形態では、リム配管２を、上流側に上下方向に延びる第１部分２１と、第１部分２１から屈曲し第１部分２１の延びる方向に交差して延びるとともに勾配を有する第２部分２２と、第１部分２１及び第２部分２２との間に配置され、第２部分２２の幅方向及び高さ方向の中心を接続する第２仮想線Ｋ２と、第１部分２１の幅方向及び高さ方向の中心を接続する第１仮想線Ｋ１とが、交わらずにねじれの位置となるように、第１部分２１及び第２部分２２を接続する第３部分２３と、含んで構成した。
第２部分２２が下り傾斜する勾配を有することで、第１部分２１が接続される給水源から供給される洗浄水の残水が、第２部分２２に溜まりにくくなる。
第３部分２３が、便器本体１０の前後方向に延びる第２部分２２の第２仮想線Ｋ２と、上下方向に延びる第１部分２１の第１仮想線Ｋ１とが交わらずにねじれの位置となるように、前記第１部分及び前記第２部分を接続することで、第２部分２２の勾配（高さの差）を確保するとともに、製造工程で必要となる第１部分２１の高さ寸法、第３部分２３の大きさを確保することができる。これにより、製造が容易になるとともに、リム配管２に求められる流量を確保することができる。
【００４９】
以上、好ましい実施形態について説明した。上述の実施形態は、限定的なものではなく、適宜変更が可能である。例えば、上記実施形態とは異なり、便器本体１０は、リム部１２の内部にチャンバ１４を設けて、水圧を掛けながら導水路１５へ洗浄水を供給する構成を採用しなくてもよい。例えば、チャンバを有さず、導水路のみが形成された便器本体であってもよい。
【００５０】
例えば、上記実施形態とは異なり、導水路１５の底面１５１は、上流側でのみ傾斜していなくてもよい。水を排出する性能が向上すれば、傾斜する位置については限定されない。少なくとも一部で傾斜していればよく、上流端から下流端のボウル部１１へと開口する出口まで連続して傾斜していてもよく、下流側でのみ傾斜していてもよい。
【００５１】
同様に、上記実施形態とは異なり、リム配管２は、一部に下り傾斜する勾配を有していればよく、水を排出する性能が向上すれば一部に水平な箇所があってもよい。リム配管２は、管の全体を傾斜させなくてもよく、水が流れる底面部分のみを傾斜させてもよい。
【符号の説明】
【００５２】
１    水洗式便器
２    リム配管
３    リムノズル（ノズル）
５    弾性部材
１０  便器本体
１１  ボウル部
１２  リム部
１３  取付面
１３ａ  挿通孔
１５  導水路
２１  第１部分
２２  第２部分
２３  第３部分
５３  接触部
１５１  底面
Ｋ１    第１仮想線
Ｋ２    第２仮想線
【図１】
2020190074.tif 000003
【図２】
2020190074.tif 000004
【図３Ａ】
2020190074.tif 000005
【図３Ｂ】
2020190074.tif 000006
【図３Ｃ】
2020190074.tif 000007
【図３Ｄ】
2020190074.tif 000008
【図４】
2020190074.tif 000009